(57)【要約】【課題】歯列矯正用ブラケットを収容する収容部としての凹部を複数設けたケース本体を、蓋体で開閉自在に被覆してなる歯列矯正用ブラケットケースにおいて、各凹部に収容した歯列矯正用ブラケットが、搬送時にケース本体に対して方向性がバラバラになってしまったり、ケース本体から蓋体を開ける際に歯列矯正用ブラケットが凹部から飛び出してしまったり、紛失したりするなどの不具合がなく、歯列矯正用ブラケットを挟持するための挟持体で歯列矯正用ブラケットを凹部より取り出し易く、また収容し易いようにする。【解決手段】収容部１７としての凹部を、ケース本体３の表面３ａに開口した第１の凹部１９と、該第１の凹部１９の側壁２０に内側に張り出した段部２１を形成し、さらに第１の凹部１９の内径より小径で歯列に対応した歯列矯正用ブラケットを収容した際に、歯列矯正用ブラケットが回動しないような大きさとした第２の凹部２２とで構成する。【選択図】図１
2011087771.tif 000002
【特許請求の範囲】
【請求項１】
歯列矯正用ブラケットを収容する収容部としての凹部を複数設けたケース本体を、蓋体で開閉自在に被覆してなる歯列矯正用ブラケットケースにおいて、前記収容部を、ケース本体の表面に開口した第１の凹部と、該第１の凹部の側壁から内側に張り出した段部を形成するように設けた、第１の凹部の内径より小径で、歯列矯正用ブラケットを収容した際に、歯列矯正用ブラケットが回動しないような大きさとした第２の凹部とで構成し、該第２の凹部の深さを歯列矯正用ブラケットの厚み方向の一部が該歯列矯正用ブラケットを挟持するための挟持体で挟持可能に段部より突出するような深さとするとともに、前記蓋体をケース本体に被覆した際に蓋体の内側壁面とケース本体の表面との離間距離と第１の凹部の深さの和の長さが歯列矯正用ブラケットの厚みより短い長さとなるように、前記蓋体と第１の凹部を形成し、各々の収容部の第２の凹部に歯列矯正用ブラケットを向きを揃えて収容することを特徴とする、歯列矯正用ブラケットケース。
【請求項２】
前記ケース本体の表面を上下左右の４つに区画する２つの線条の区画表記体を設け、各区画に、前記収容部を上顎および下顎の左右の歯の歯列に合わせて配列して設けたことを特徴とする、請求項１に記載の歯列矯正用ブラケットケース。
【請求項３】
前記第１の凹部と第２の凹部とで構成される段部の、第２の凹部に収容した歯列矯正用ブラケットを取り出すために挟持体で挟持する歯列矯正用ブラケットの挟持方向側を、挟持体の先端が挿入可能に幅広としたことを特徴とする、請求項１または２に記載の歯列矯正用ブラケットケース。
【請求項４】
前記段部の幅広部側の第１の凹部の対向した側壁を、Ｒ状に形成したことを特徴とする、請求項３に記載の歯列矯正用ブラケットケース。
【発明の詳細な説明】
【技術分野】
【０００１】
本発明は、上顎前歯、下顎前歯、犬歯、小臼歯等の歯の種類に対応した歯列矯正用ブラケットを収容する収容部としての凹部を複数設けたケース本体を、蓋体で開閉自在に被覆してなる歯列矯正用ブラケットケースに関する。
【背景技術】
【０００２】
ケース本体に、歯の種類に対応した歯列矯正用ブラケットを収容する凹部を複数設けた歯列矯正用ブラケットケースは、従来より知られている。
【０００３】
歯列矯正用ブラケットは、上顎前歯、下顎前歯、犬歯、小臼歯等の歯の種類ごとに歯列矯正用ブラケットの形状は異なり、各歯列矯正用ブラケットを個別に収容部としての凹部に収容するのが良く、そうしたものが歯列矯正用ブラケットケースとして提供されている。
【０００４】
しかし、従来の前記した歯列矯正用ブラケットケースは、歯列矯正用ブラケットを、該歯列矯正用ブラケットの形状より大きくまた歯列矯正用ブラケットの厚みより深い形状の凹部に収容する構造で、凹部を蓋体等で被覆しても、歯列矯正用ブラケットは固定されていないので、歯列矯正用ブラケットは凹部内で移動や回動したりあるいは表裏が引っ繰り返ってしてしまい、各歯列矯正用ブラケットのケースに対する方向性はバラバラになってしまっていた。また、凹部の深さが浅いと、ケース本体から蓋体を開ける際に歯列矯正用ブラケットが凹部から飛び出して各種の歯列矯正用ブラケットが混じってしまったり、紛失したりするなどの不具合があった。
【０００５】
こうした不具合を解消するものとして、テンプレートを用いることによりブラケットを位置決め保持可能とした技術が、特許第２８６２９２５号公報により開示されている。前記技術は、容器として、ブラケット保持用窓を有するテンプレートと、該テンプレートの表面及び裏面に夫々接合する表面用シール部材及び裏面用シール部材とで構成するものである。しかし、こうした構造のものは、歯列矯正用ブラケットを容器から取り出す際に表面シール部材を破らなければならなく、その際に歯列矯正用ブラケットを容器から弾き飛ばしてしまったりする虞がある。また、例えば表面シール部材に切り込みが入っていたとしても、歯列矯正用ブラケットを容器から取り出す際に歯列矯正用ブラケットが表面シール部材の切れ端が歯列矯正用ブラケットや該歯列矯正用ブラケットを取り出す際に使用する歯列矯正用ブラケットを挟持するためのピンセット等の挟持体に触れて、歯列矯正用ブラケットが挟持体から抜け落ちて、床等に落ちてしまったり紛失したりしてしまう虞がある。
【０００６】
本発明者達はこうした事実に鑑み、歯列矯正用ブラケットケースとしては、歯列矯正治療の施術の際に各歯列矯正用ブラケットを容器から容易に取り出せることが大切と考え、従来の、歯の種類に対応した歯列矯正用ブラケットを収容する収容部としての凹部を複数設けたケース本体を、蓋体で開閉自在に被覆してなる歯列矯正用ブラケットケースを改良することを思いたち、本発明に至った。
【先行技術文献】
【特許文献】
【０００７】
【特許文献１】特許第２８６２９２５号公報
【発明の概要】
【発明が解決しようとする課題】
【０００８】
本発明が解決しようとする課題は、歯列矯正用ブラケットを収容する収容部としての凹部を複数設けたケース本体を、蓋体で開閉自在に被覆してなる歯列矯正用ブラケットケースにおいて、各凹部に収容した歯列矯正用ブラケットが、搬送時にケース本体に対して方向性がバラバラになってしまったり、ケース本体から蓋体を開ける際に歯列矯正用ブラケットが凹部から飛び出してしまったり、紛失したりするなどの不具合がなく、歯列矯正用ブラケットを挟持するためのピンセット等の挟持体で歯列矯正用ブラケットを凹部より取り出し易く、また収容し易いようにすることを目的とする。
【課題を解決するための手段】
【０００９】
本発明は、
「１．歯列矯正用ブラケットを収容する収容部としての凹部を複数設けたケース本体を、蓋体で開閉自在に被覆してなる歯列矯正用ブラケットケースにおいて、前記収容部を、ケース本体の表面に開口した第１の凹部と、該第１の凹部の側壁から内側に張り出した段部を形成するように設けた、第１の凹部の内径より小径で、歯列矯正用ブラケットを収容した際に、歯列矯正用ブラケットが回動しないような大きさとした第２の凹部とで構成し、該第２の凹部の深さを歯列矯正用ブラケットの厚み方向の一部が該歯列矯正用ブラケットを挟持するための挟持体で挟持可能に段部より突出するような深さとするとともに、前記蓋体をケース本体に被覆した際に蓋体の内側壁面とケース本体の表面との離間距離と第１の凹部の深さの和の長さが歯列矯正用ブラケットの厚みより短い長さとなるように、前記蓋体と第１の凹部を形成し、各々の収容部の第２の凹部に歯列矯正用ブラケットを向きを揃えて収容することを特徴とする、歯列矯正用ブラケットケース。
２．前記ケース本体の表面を上下左右の４つに区画する２つの線条の区画表記体を設け、各区画に、前記収容部を上顎および下顎の左右の歯の歯列に合わせて配列して設けたことを特徴とする、前記１項に記載の歯列矯正用ブラケットケース。
３．前記第１の凹部と第２の凹部とで構成される段部の、第２の凹部に収容した歯列矯正用ブラケットを取り出すために挟持体で挟持する歯列矯正用ブラケットの挟持方向側を、挟持体の先端が挿入可能に幅広としたことを特徴とする、前記１項または２項に記載の歯列矯正用ブラケットケース。
４．前記段部の幅広部側の第１の凹部の対向した側壁を、Ｒ状に形成したことを特徴とする、前記３項に記載の歯列矯正用ブラケットケース。」
である。
【００１０】
本発明では、歯列矯正用ブラケットを収容する収容部を複数設けるが、配列は上顎または下顎の歯に対応した
歯列矯正用ブラケットを複数収容するために、または上顎または下顎の歯列に対応して収容するために１列に配列したものであっても良いし、上顎および下顎の歯列に対応して２列に配列したものでも良い。さらには、左右の歯列に対応するために２つに区画して、１列を２区画に分けて２列、２列を２区画に分けて４列に配列しても良い。収納部の数については、歯の本数に対応した数であっても良いし、少ない数の５個や３個を設けたものであっても良く、数は限定されない。また、前記した上顎および下顎の左右の歯列に合わせて４列に配列とした際に、列の収納部の数が多い場合には、１列の配列において、１列で有る必要がなく２列の構成としても良く、８列としても良く、収容する歯列矯正用ブラケットの数に基づいて適宜選択すれば良い。
【００１１】
本発明の歯列矯正用ブラケットケースにおいて、ケース本体や蓋体の材質は特に限定されないが、蓋体は中身が確認できるように透明で形成することが好ましい。また、蓋体はケース本体に連接して設けて、蓋体を回動することでケース本体を開閉自在に被覆するようにな構造としても良いし、ケース本体に対して蓋体を着脱自在に嵌合することでケース本体を開閉自在に被覆するような構造としても良い。
【００１２】
本発明において、歯列矯正用ブラケットの一部を挟持する挟持体とは、歯列矯正用ブラケットは非常に小さいものなので、歯列矯正治療の施術の際に歯列矯正用ブラケットを挟持するためのものであり、歯列矯正用ブラケットケースから取り出したり収容したりする際にも使用する、ピンセット等のことである。
【００１３】
本発明は、歯列矯正用ブラケットを第２の凹部に収容した際に、歯列矯正用ブラケットの厚み方向の一部が挟持体で挟持可能に段部より突出するようにすることが重要であるが、ケース本体の表面から突出するようにしても良いし突出しないように設けてもよい。しかし、搬送時に歯列矯正用ブラケットが第２の凹部から飛び出して第１の凹部に移動し段部に引っ掛かったり、他の収容部の第１の凹部や第２の凹部に移動しないようにするために、蓋体をケース本体に被覆した際に蓋体の内側壁面とケース本体の表面との離間距離と第１の凹部の深さの和の長さが歯列矯正用ブラケットの厚みより短い長さとなるように、前記蓋体と第１の凹部を形成することが重要となる。
【発明の効果】
【００１４】
本発明は前記したような構造なので、歯列矯正用ブラケットを収容して本発明の歯列矯正用ブラケットケースを搬送しても、各凹部に収容した歯列矯正用ブラケットが、ケース本体に対して方向性がバラバラになってしまったり、決められた位置の収容部に確実に留まり一つの収容部に各種の歯列矯正用ブラケットが混じって収容されることがなく、また、蓋体を開けた際に、ケース本体に衝撃を与えない限り、歯列矯正用ブラケットが収容部から飛び出して他の収容部に移動して各種の歯列矯正用ブラケットが混じってしまったり、収容部から飛び出して紛失したりするなどの不具合がなく、挟持体で歯列矯正用ブラケットを凹部より取り出し易いという効果がある。また、歯列矯正用ブラケットは、ケース本体に設けた第２の凹部に係合手段により固定するのではなくただ挿入するだけで良いので、収容がし易いという利点もある。
【００１５】
請求項２に係る発明とすることで、歯列に合わせて歯に対応した歯列矯正用ブラケットを配列するので、歯列矯正治療の施術の際に、各歯に対応した歯列矯正用ブラケットを間違えることなく歯列矯正用ブラケットケースから取り出せるという効果が有ある。
【００１６】
歯列矯正用ブラケットケースに収容された歯列矯正用ブラケットは、挟持体で挟持して凹部より取り出すことになるが、請求項３に係る発明とすることで、第１の凹部に挟持体の先端を挿入し易くなり、歯列矯正用ブラケットを挟持し易くなるという効果がある。
【００１７】
歯列矯正用ブラケットをピンセット等の挟持体で挟持する際は、歯列矯正用ブラケットの左右方向または上下方向における中央部を挟持することになる。請求項４に係る発明とすることで、挟持体の先端を第１の凹部に挿入し第１の凹部の側壁に当接するようにすると、挟持体の先端は側壁に沿って移動し歯列矯正用ブラケットの左右方向または上下方向における中央部に対応した位置に自ずと位置するので、さらに歯列矯正用ブラケットを挟持し易いという効果がある。
【図面の簡単な説明】
【００１８】
【図１】本発明の歯列矯正用ブラケットケースの第１の実施例を示し、蓋を開けた状態の歯列矯正用ブラケットケースの斜視図である。
【図２】図１における歯列矯正用ブラケットケースの蓋体の上面図である。
【図３】図１における歯列矯正用ブラケットケースのケース本体の上面図である。
【図４】図３におけるＡ−Ａ線部分の端面図である。
【図５】図３におけるＢ−Ｂ線部分の断面図である。
【図６】図４における要部の部分の拡大図である。
【図７】図５における要部の部分の拡大図である。
【図８】本発明の第１の実施例の歯列矯正用ブラケットケースのケース本体の前側面図である。
【図９】本発明の第１の実施例の歯列矯正用ブラケットケースのケース本体の底面図である。
【図１０】本発明の実施例の歯列矯正用ブラケットケースの収容部に収容する歯列矯正用ブラケットの図で、（ａ）は斜視図で、（ｂ）は上面図である。
【図１１】本発明の第１の実施例の歯列矯正用ブラケットケースの収容部に、図１０における歯列矯正用ブラケットを収容した状態を示す、ケース本体の上面図である。
【図１２】本発明の歯列矯正用ブラケットケースの第２の実施例を示す、ケース本体の上面図である。
【図１３】図１２におけるＣ−Ｃ線部分の端面図である。
【図１４】図１２におけるＤ−Ｄ線部分の端面図である。
【図１５】本発明の第２の実施例の歯列矯正用ブラケットケースのケース本体の底面図である。
【発明を実施するための最良の形態】
【００１９】
本発明は、ケース本体に、表面を被覆する蓋体をケース本体に対して回動自在に連接し、歯の種類に対応した歯列矯正用ブラケットを収容する収容部を、２段構成の途中に段部を有した凹部で構成する。
【実施例】
【００２０】
本発明の歯列矯正用ブラケットケースの実施例について説明するが、本発明は実施例に限定されるものではない。実施例において同じ部材、同じ箇所を示す場合は同じ符号を付してある。
図１〜図９に示す第１の実施例の歯列矯正用ブラケットケース１は、蓋体２とケース本体３とで構成されており、蓋体２はケース本体３に連接して、蓋体２をケース本体３に対して回動することでケース本体を被覆可能とするために、図２に示すように、蓋体２の一方の側壁部分２ａには回動軸部４を有した連接軸部５を設けてある。該連接軸部５に対向した他方の側壁部分２ｂには係止部６を有した係止爪７を設けてある。ケース本体３には、図３に示すように、前記回動軸部４を挿入する係止孔８を有した連接受け軸部９と、前記係止部６と係止する被係止部１０を有した被係止爪１１を、前記連接軸部５と係止爪７に対応した位置に設けてあり、蓋体２の回胴軸部４をケース本体３の係止孔８に嵌合して装着することで、蓋体２をケース本体３に対して回動自在に連接してある。蓋体２の係止爪７の係止部６をケース本体３の被係止爪１１の被係止部１０に係止することで、蓋体２が容易に開かないようにしてある。
【００２１】
ケース本体３の表面３ａには、上顎前歯、下顎前歯、犬歯、小臼歯等の歯の種類ごとに対応した歯列矯正用ブラケット（図示せず）を、上顎の歯列と下顎の歯列および左右の歯列に合わせて上下左右の４つに区画して配列するために、突起状の線条１２、１３を設けて、上下左右に４つの部分１４a、１４ｂ、１４ｃ，１４ｄに区画してある。本実施例のケース本体３では、区画した連接受け軸部９側を上顎側の歯に対応した歯列矯正用ブラケットを収容するものとするために、突出状態に形成した表示体１５、例えば「ｕｐｐｅｒ」を示す「Ｕ」を、被係止爪１１側を下顎側の歯に対応した歯列矯正用ブラケットを収容するものとするために、突出状態に形成した表示体１６、例えば「ｌｏｗｅｒ」を示す「Ｌ」を設けてある。
【００２２】
図９に示すように、歯列矯正用ブラケット（図示せず）を収容する収容部１７を設ける前記部分１４a、１４ｂ、１４ｃ，１４ｄに対応したケース本体３の裏面３ｂは、収容部１７としての凹部を設けるために４つの突出した突出部１８ａ，１８ｂ，１８ｃ，１８ｄを設けてある。
【００２３】
前記４つに区画された部分１４a、１４ｂ、１４ｃ，１４ｄには、図３に示すように、長手方向の線条１２に沿っておよび短辺状の線条１３に対して左右に５個ずつ配列した計２０個の収容部１７を設けてある。各収容部１７は、図６〜図７に示すように、ケース本体３の表面３ａに開口した第１の凹部１９を形成してある。該第１の凹部１９には、第１の凹部１９を構成する４方の側壁２０ａ、２０ｂ、２０ｃ、２０ｄから内側に張り出した段部２１ａ、２１ｂ、２１ｃ、２１ｄを設けてある。短辺方向の線条１３に沿った上下方向の段部２１ａと２１ｃの幅（図７を参照）は長手方向の線条１２に沿った左右方向の段部２１ｂと２１ｄの幅（図６を参照）より広くなるように形成してあり、上下方向の段部２１ａと２１ｃの幅は、歯列矯正用ブラケットを挟持するための挟持体であるピンセット等（図示せず）の先端が挿入可能な幅広としてある。また、上下方向の段部２１ａと２１ｃに対応した側壁２０ａと２０ｃは、上下方向に膨らんだＲ状に形成してあり、ピンセット等（図示せず）の先端を第１の凹部１９に挿入した際に、ピンセット等の先端を開くようにして第１の凹部の側壁２０ａと２０ｃに当接するようにすると、ピンセット等の先端が第１の凹部１９の左右方向の中央部に位置するようにしてある。
【００２４】
第１の凹部１９内に、段部２１を介して第１の凹部１９の内径より小径で歯列に対応した歯列矯正用ブラケット（図示せず）を収容した際に、歯列矯正用ブラケットが回動しないような大きさとした第２の凹部２２を設けてある。該第２の凹部２２の深さ：Ｈ（図６を参照）は、歯列矯正用ブラケットが段部２１より突出するような深さとしてある。
【００２５】
第１の実施例の歯列矯正用ブラケットケース１においては、例えば図１０に示すような歯列矯正用ブラケット５０を、歯に装着する際の向きが同じになるようにして、ケース本体３の各々に対応した位置の収容部１７の第２の凹部２２に収容する（図１１を参照）。歯列矯正用ブラケット５０は、係止手段を用いて第２の凹部２２に移動や回動しないように係止して挿着する構造ではなく、第２の凹部２２に単に挿入して収容するものである。したがって、歯列矯正用ブラケット５０を挟持するための挟持体としてのピンセット等（図示せず）で挟持して容易に第２の凹部２２から取り出すことができる反面、搬送時は各第２の凹部２２に収容した歯列矯正用ブラケットが、各第２の凹部２２から飛び出して別の歯列の位置の第１の凹部１９や第２の凹部２２に移動したり、または蓋体２をケース本体３から開くように回動した際に、歯列矯正用ブラケット５０が収容部１４から飛び出してしまう虞があるので、第１の実施例の歯列矯正用ブラケットケース１では、第１の凹部１９の深さは、歯列矯正用ブラケット５０がケース本体３の表面３ａより僅かに飛び出すような深さとしてあるが、蓋体２をケース本体３に被覆した際に、蓋体２の内側壁面２３とケース本体３の表面３ａとの離間距離と当接または第２の凹部２２の深さより短い距離で離間するように設けてある。
【００２６】
第１の実施例の歯列矯正用ブラケットケース１では、第１の凹部１９の深さを前記したような深さとしたが、歯列矯正用ブラケットが第２の凹部２２より飛び出さないようにするには、蓋体２をケース本体３に被覆した際に蓋体２の内側壁面２３とケース本体３の表面３ａとの離間距離と第１の凹部１９の深さの和の長さが歯列矯正用ブラケットの厚みより短い長さとなるように、蓋体２と第１の凹部１９を形成すれば良い。
【００２７】
第１の実施例の歯列矯正用ブラケットケース１においては、各収納部１７の段部２１に、前記線条１３に最も近い場所の収容部１７の段部２１から「１」を、より遠い場所の収容部１７の段部２１には「１」から順に「５」までの連続した通し番号２４を付してあり、上顎または下顎の歯の右側または左側の何番目の歯に対応した歯列矯正用ブラケットであるかが判りやすくしてある。
【００２８】
第２の実施例の歯列矯正用ブラケットケースは、ケース本体３０に設ける収容部１７の配列の仕方が変わった以外は、第１の歯列矯正用ブラケットケース１と同様に設けてある。図１２〜図１５に示す第２の実施例の歯列矯正用ブラケットケースのケース本体３０は、第１の歯列矯正用ブラケットケース１と同様に、連接受け軸部９と被係止爪１１を設けてあり、歯列矯正用ブラケット（図示せず）を収容する収容部１７を、長手方向に一列に配列した構造のもので、収容部１７を設ける部分に対応したケース本体３０の裏面３０ｂは、収容部１７としての凹部を設けるための２つの突出した突出部３１ａ，３１ｂを設けてある。
【００２９】
ケース本体３０の表面３０ａには、１０個の収容部１７を一列に配列して設けてあり、各収容部１７は、第１の実施例の歯列矯正用ブラケットケース１のケース本体３に設けた収容部１７と同様に、第１の凹部１９と段部２１と第２の凹部２２で構成して設けてある。その他の構造は、第１の歯列矯正用ブラケットケース１と同様に設けてある。
【００３０】
第２の実施例の歯列矯正用ブラケットケースは、上顎または下顎の歯の歯列に対応して歯列矯正用ブラケットを収容したい場合や、または、上顎または下顎の歯に対応した同種類の歯列矯正用ブラケットを複数収容する場合の形態を示す実施例である。
【産業上の利用可能性】
【００３１】
本発明は、歯列矯正用ブラケットを収容する歯列矯正用ブラケットケースに適用するものであるが、電子部品等の小物部品を小分けして収容して保管する容器としても適用できる。
【符号の説明】
【００３２】
１  歯列矯正用ブラケットケース
２  蓋体
３、３０  ケース本体
３ａ、３０ａ  表面
１７  収容部
１９  第１の凹部
２０  側壁
２１  段部
２２  第２の凹部
２３  内側壁面
５０  歯列矯正用ブラケット
【図１】
2011087771.tif 000003
【図２】
2011087771.tif 000004
【図３】
2011087771.tif 000005
【図４】
2011087771.tif 000006
【図５】
2011087771.tif 000007
【図６】
2011087771.tif 000008
【図７】
2011087771.tif 000009
【図８】
2011087771.tif 000010
【図９】
2011087771.tif 000011
【図１０】
2011087771.tif 000012
【図１１】
2011087771.tif 000013
【図１２】
2011087771.tif 000014
【図１３】
2011087771.tif 000015
【図１４】
2011087771.tif 000016
【図１５】
2011087771.tif 000017